【事件の表示】
　平成１０年特許願第１２６３６３号「ディスク信号再生装置の回転数制御装置」拒絶査定不服審判事件〔平成１１年１１月３０日出願公開、特開平１１−３２８８２８〕について、次のとおり審決する。
【結　論】
　本件審判の請求は、成り立たない。
【理　由】
１．手続きの経緯・本願発明
　本願は、平成１０年５月８日の出願であって、その請求項１，２に係る発明は、平成１３年１２月２８日付け、平成１６年１２月２８日及び平成１７年２月８日付けの手続補正書により補正された明細書の特許請求の範囲の請求項１，２に記載されたとおりのもの認められるところ、請求項１の記載（以下、「本願発明」という。）は次のとおりのものと認める。
　
「スパイラル状のトラックに沿って情報が記録されたディスクを回転駆動するディスクの回転駆動部と、該ディスクの回転速度を検出する回転速度検出部と、前記回転駆動部によるディスクの回転速度を制御する回転速度制御部と、該ディスクの回転に伴うディスク或るいはスピンドルモータ等の振動を検出する振動検出部と、前記ディスクを回転加速し、前記振動検出部により前記ディスクの振動開始或いは前記スピンドルモータの振動開始を検出した時の前記ディスクの回転数を最大許容回転数として記憶する回転数記憶部とを備え、前記ディスクの再生動作時、ディスクを回転加速して、当該ディスクが前記最大許容回転数より遅いかどうかを調べ、遅いならば、信号を検出して信号を再生する一方、前記ディスクが最大許容回転数より遅くないならば、前記ディスクの回転速度を前記最大許容回転数に固定するように制御するディスク信号再生装置の回転数制御装置。」
　
２．引用例
　これに対して、当審の拒絶の理由に引用された特開平１０−７４３５７号公報（以下、「引用例」という。）には、図面とともに次の事項が記載されている（下線は当審で付した。）。
「【００１９】以上の如く、本発明に係る
ディスクプレーヤー
ディスク
モーター制御回路
スピンドルモーター
　【００２０】ディスク３の回転速度が低速回転状態より高速回転状態まで段階的に変化する間、前記支持基板２上に搭載されている
振動検出手段
振動検出回路
　【００２１】そして、前記
システム制御回路
その振動が発生した回転数を振動回転数メモリー回路
　【００２２】斯かる動作によってターンテーブル４に載置されているディスク３が異常振動する回転数が認識されるため、
再生動作を行うための回転速度
前記振動回転数メモリー回路１４に記憶されている回転速度以外の速度に設定される
設定される回転速度は、ディスクプレーヤーが備えている最高再生速度に近い速度に設定される
　【００２３】前述した動作が行われてディスク３の回転速度が設定されため、ターンテーブル４に載置されるディスク３が重心のずれた偏重心ディスクの場合には、
異常振動が発生しない回転速度に設定されるため、ディスク３に記録されている信号の読み出し動作を正確に行うことが出来る
　【００２４】本実施例では、低速回転状態より高速回転状態への回転速度の変化を段階的に行うように構成したが、連続的に変化させるように構成することも出来る。また、振動回転数メモリー回路１４に記憶されている回転数に基く再生速度の設定をディスクプレーヤーが備えている最高再生速度に近い速度にするように構成したが、振動検出手段１２により検出される信号レベルが最小となる回転数を検出してその回転数に設定するように構成することも出来る。そして、斯かる回転速度の設定動作を行うためのスイッチを操作スイッチ１０に設けたり、コンピューターからの司令によって行うように構成することによって、
異常振動が発生しない種々な回転速度に設定することが出来る。
　
　上記の摘記した事項によれば、異常振動が発生しない種々な回転速度に設定されるため、ディスクに記録されている信号の読み出し動作を正確に行うことが出来るディスクプレーヤーに関し、引用例には、
「ディスクを回転駆動するスピンドルモーターと、
　前記スピンドルモーターの回転駆動制御を行うモーター制御回路と、
　該ディスクの回転速度が低速回転状態より高速回転状態まで変化する間にディスクの回転に伴って発生する振動を検出する振動検出手段と、
　前記振動検出手段より出力された検出信号が振動検出回路を通して入力されるシステム制御回路と、
　前記ディスクの回転に伴って振動が発生した場合の回転数を記憶する振動回転数メモリー回路とを備え、
　前記システム制御回路に入力される前記振動検出回路からの信号が所定のレベルを超えた場合に、その振動が発生した回転数が前記振動回転数メモリー回路に記憶されるディスクプレーヤーにおいて、
　前記ディスクの再生動作を行うための回転速度は、前記振動回転数メモリー回路に記憶されている当該ディスクの振動が発生した回転数以外のディスクプレーヤーが備えている最高再生速度に近い回転速度に設定されるディスクプレーヤー。」の発明（以下、「引用例の発明」という。）が記載されていると認められる。
　
３．対比
　本願発明と引用例の発明を対比する。
　引用例の発明の「ディスクプレーヤー」は、本願発明における、「ディスク信号再生装置」に相当する。
　引用例の発明の、「ディスクプレーヤー」は、周知であるスパイラル状のトラックに沿って情報が記録されたディスクを回転駆動することは明らかであるから、引用例の発明の「ディスクを回転駆動するスピンドルモーター」は、本願発明における、「スパイラル状のトラックに沿って情報が記録されたディスクを回転駆動するディスクの回転駆動部」に相当する。
　引用例の発明の、「システム制御回路」は、振動が発生した回転数を振動回転数メモリー回路に記憶させるために、回転速度の検出に関わる点において、本願発明の、「該ディスクの回転速度を検出する回転速度検出部」と共通する。
　引用例の発明の、「モーター制御回路」は、回転駆動制御動作を行うもので（上記【００１９】参照）、ディスクの回転速度を低速回転状態から高速回転状態に回転速度を連続的に変化せしめる点において、本願発明における、「前記回転駆動部によるディスクの回転速度を制御する回転速度制御部」に相当する。
　引用例の発明の、「該ディスクの回転速度が低速回転状態より高速回転状態まで変化する間にディスクの回転に伴って発生する振動を検出する振動検出手段」は、振動を検出する点において、本願発明における、「該ディスクの回転に伴うディスク或るいはスピンドルモータ等の振動を検出する振動検出部」に相当する。
　引用例の発明の、「振動回数メモリー回路」は、振動を検出した場合の回転数を記憶する点において、本願発明の、ディスクを回転加速し、振動検出部によりディスクの振動を検出した時の前記ディスクの回転数を記憶する「回転数記憶部」に相当する。
　引用例の発明の、「該ディスクの再生動作を行うための回転速度は、前記振動回転数メモリー回路に記憶されている回転数以外のディスクプレーヤーが備えている最高再生速度に近い回転速度に設定される」ことにおいて、再生動作はディスクに記録された信号を再生することであるから、「該ディスクの再生動作を行うための回転速度は、前記振動回転数メモリー回路に記憶されている回転数以外のディスクプレーヤーが備えている最高再生速度に近い回転速度に設定される」は、振動回転数メモリー回路に記憶されている回転数以外の回転速度では信号を再生する一方、ディスクプレーヤーの備えている最高再生速度に近い回転速度に制御することであり、本願発明における「ディスクの再生動作時、ディスクを回転加速して、信号を検出して信号を再生する一方、ディスクの回転速度を制御する回転数制御装置」で共通する。
　
　したがって、本願発明と引用例の発明とは、次のような一致点と相違点を有する。
〈一致点〉
「スパイラル状のトラックに沿って情報が記録されたディスクを回転駆動するディスクの回転駆動部と、
　該ディスクの回転速度を検出する回転速度検出部と、
　前記回転駆動部によるディスクの回転速度を制御する回転速度制御部と、
　該ディスクの回転に伴うディスク或るいはスピンドルモータ等の振動を検出する振動検出部と、
　前記ディスクを回転加速し、前記振動検出部により前記ディスクの振動を検出した時の前記ディスクの回転数を記憶する回転数記憶部とを備え、
　前記ディスクの再生動作時、ディスクを回転加速して、信号を検出して信号を再生する一方、前記ディスクの回転速度を制御するディスク信号再生装置の回転数制御装置。」
　
〈相違点〉
　回転数記憶部は、本願発明においては、「ディスクの振動開始或いはスピンドルモータの振動開始を検出した時のディスクの回転数を最大許容回転数として」記憶するのに対して、引用例の発明では、「振動検出回路からの信号が所定のレベルを超えた場合に、その振動が発生した回転数」を記憶し、ディスクの再生動作時には、本願発明においては、「当該ディスクが前記最大許容回転数より遅いかどうかを調べ、遅いならば、信号を検出して信号を再生する一方、前記ディスクが最大許容回転数より遅くないならば、前記ディスクの回転速度を前記最大許容回転数に固定する」のに対して、引用例の発明では、「当該ディスクの振動が発生した回転数以外のディスクプレーヤーが備えている最高再生速度に近い回転速度に設定する」点。
　
４．当審の判断
　上記相違点について検討する。
　引用例の発明における、「振動回数メモリー回路」（回転数記憶部）が記憶する「振動検出回路からの信号が所定のレベルを超えた場合に、その振動が発生した回転数」は、「光学式ピックアップによる
信号の読み取り動作を行うことが出来ない振動や振動音
　一方、本願発明における、「回転数記憶部」が、「ディスクの振動開始或いはスピンドルモータの振動開始を検出した時のディスクの回転数」を「最大許容回転数」として記憶するのは、「ディスク(１)の振動或るいはスピンドルモータ等の駆動装置(２)の振動は振動検出センサーよりなる振動検出部(５)により検出されて中央制御部(４)に供給される。そして、ディスクを加速する際、個々のディスク毎に
ディスク信号の読取り可能な振動許容範囲内の最大振動
　ところで、ディスクの回転速度を、信号の読み取りができる回転速度の許容内の最高速度として記憶して、その範囲内で制御することは周知（特開平１０−１１８８２号公報の【００２５】【００２６】、特開平１０−６９７０９号公報の【００３５】〜【００３８】、特開平１０−７９１６４号公報の【００３０】〜【００３３】、【００６０】等参照）である。してみれば、ディスクの回転速度を、信号の読み取り動作ができない振動を回避した回転速度で制御するに際し、回転速度を最高再生速度とするために、許容できない振動の場合の回転速度を回避するか、許容できる振動範囲内における回転速度とするかは、当業者の設計事項であると認められる。
　したがって、引用例の発明において、「振動数メモリー回路」を、ディスクの振動開始或いはスピンドルモータの振動開始を検出した時のディスクの回転数を最大許容回転数として記憶するようにし、ディスクの再生時には、当該ディスクが振動メモリー回路に記憶された最大許容回転数より遅いかどうかを調べ、遅いならば、信号を検出して信号を再生する一方、ディスクの回転数が最大許容回転数より遅くないならば、ディスクの回転速度を前記最大許容回転数に固定するように制御することは、当業者が容易になし得たことと認められる。
　
　なお、当審の拒絶理由に対する平成１６年１２月２８日付けの意見書において、「本願発明のものでは、常にディスクの振動が起きない範囲内での再生動作制御が可能ですが、刊行物１のものでは、振動回転数メモリー回路に記憶されている複数の回転速度以外の回転速度であればどのような回転速度でも良いため、ディスクプレーヤーが備えている最高再生速度に近い速度が、所定レベル以下ではあるが、振動回転数メモリー回路に記憶されている回転速度に近い速度であっても、その回転速度で再生を行うことになります。このことは、再生制御の安定性の観点からすれば、同じように再生動作が行えるとは言うものの、振動のない状態で再生できる本願発明の方が優れていることは明らかです。」と記載しているが、高速再生に対して、再生動作の安定性を優先することは、当業者が必要に応じて選択することで、本願における格別の効果とは認められない。
　
５．むすび
　したがって、本願発明は、引用例１に記載された発明に基いて当業者が容易に発明をすることができたものと認められるから、特許法第２９条第２項の規定により特許を受けることができない。他の請求項について検討するまでもなく、本願は拒絶されるべきである。
　よって、結論のとおり審決する。